(57)【要約】【課題】連写時に必要な動作時間の短縮を実現することができるデジタルスチルカメラを提供する。【解決手段】第１の記憶部４で記憶されているＲＡＷデータの一部である単色のＲＡＷデータを圧縮変換部７で単色の圧縮データに変換し、圧縮変換部７で変換された圧縮データに基づいてスケールファクター設定部９でスケールファクターを設定した後、制御部２の制御により、第１の記憶部４で記憶されているＲＡＷデータをＹＣ処理部５でＹＣデータに変換し、ＹＣ変換部５で変換されたＹＣデータをスケールファクター設定部９で設定されたスケールファクターに基づいて圧縮変換部７で圧縮データに変換する。【選択図】　図１
2004088294.tif 000002
【特許請求の範囲】
【請求項１】
入力画像を示す光学的信号をＲＡＷデータに変換する撮像部と、前記撮像部で変換されたＲＡＷデータを記憶する第１の記憶部と、前記第１の記憶部で記憶されたＲＡＷデータをＹＣデータに変換するＹＣ処理部と、前記第１の記憶部に記憶されたＲＡＷデータのうち単色の画素についてのＲＡＷデータを単色の圧縮データに変換し、または前記ＹＣ処理部で変換されたＹＣデータをカラーの圧縮データに変換する圧縮変換部と、前記圧縮変換部で変換された単色の圧縮データに基づいて圧縮係数を算出する圧縮係数設定部と、前記圧縮係数設定部が圧縮係数を算出した後、前記第１の記憶部に記憶されているＲＡＷデータをＹＣデータに変換させるよう前記ＹＣ処理部を制御し、前記ＹＣ変換部で変換されたＹＣデータを前記圧縮係数設定部で算出された圧縮係数に基づいて圧縮データに変換するよう前記圧縮変換部を制御する制御部と、を有することを特徴とするデジタルスチルカメラ。
【請求項２】
入力画像を示す光学的信号をＲＡＷデータに変換する撮像部と、前記撮像部で変換されたＲＡＷデータを記憶する第１の記憶部と、前記第１の記憶部で記憶されたＲＡＷデータをＹＣデータに変換するＹＣ処理部と、前記第１の記憶部に記憶されたＲＡＷデータのうち単色の画素についてのＲＡＷデータを記憶し、または前記ＹＣ処理部で変換されたＹＣデータを記憶する第２の記憶部と、前記第２の記憶部に記憶された単色のＲＡＷデータを単色の圧縮データに変換し、または前記第２の記憶部に記憶されたＹＣデータをカラーの圧縮データに変換する圧縮変換部と、前記圧縮変換部で変換された単色の圧縮データに基づいて圧縮係数を算出する圧縮係数設定部と、前記圧縮係数設定部が圧縮係数を算出した後、前記第１の記憶部に記憶されているＲＡＷデータをＹＣデータに変換させるよう前記ＹＣ処理部を制御し、前記ＹＣ変換部で変換されたＹＣデータを記憶させるよう前記第２の記憶部を制御し、前記第２の記憶部で記憶されたＹＣデータを前記圧縮係数設定部で算出された圧縮係数に基づいて圧縮データに変換するよう前記圧縮変換部を制御する制御部と、を有することを特徴とするデジタルスチルカメラ。
【請求項３】
撮像部はＲＡＷデータを複数のフィールドに分割してフィールド毎に出力し、前記撮像部が最初のフィールドを出力している間に、圧縮変換部は単色のＲＡＷデータを圧縮データに変換し始めることを特徴とする請求項１または請求項２に記載のデジタルスチルカメラ。
【請求項４】
撮像部はＲＡＷデータを複数のフィールドに分割してフィールド毎に出力し、前記撮像部が最後のフィールドを出力している間に、圧縮変換部はＹＣデータを圧縮データに変換し始めることを特徴とする請求項１または請求項２に記載のデジタルスチルカメラ。
【請求項５】
撮像部は赤、緑、青の画素から構成される撮像素子を備え、圧縮係数設定部は緑の画素のＲＡＷデータのみを用いて圧縮係数を算出することを特徴とする請求項１乃至４のいずれかに記載のデジタルスチルカメラ。
【請求項６】
撮像部はシアン、マゼンダ、イエローの画素から構成される撮像素子を備えることを特徴とする請求項１乃至４のいずれかに記載のデジタルスチルカメラ。
【請求項７】
圧縮係数設定部はイエローの画素のＲＡＷデータのみを用いて圧縮係数を算出することを特徴とする請求項６に記載のデジタルスチルカメラ。
【請求項８】
撮像部はホワイトの画素を含む撮像素子を備え、圧縮係数設定部はホワイトの画素のＲＡＷデータのみを用いて圧縮係数を算出することを特徴とする請求項１乃至４のいずれかに記載のデジタルスチルカメラ。
【発明の詳細な説明】
【０００１】
【発明の属する技術分野】
本発明は、デジタルスチルカメラに関し、特に連写機能を有するデジタルスチルカメラに関するものである。
【０００２】
【従来の技術】
近年、デジタルスチルカメラが一般に普及し、その普及に伴って、デジタルスチルカメラには種々の機能が搭載されるようになってきた。それらの機能の一つに連写機能がある。
【０００３】
ここで、連写機能とは、ユーザーがデジタルスチルカメラに対して一回操作するだけで、時間的に一定間隔で連続した複数の画像を撮像することができる機能を意味し、スポーツにおける撮影等でシャッターチャンスを逃すことが無くなるのでユーザーにとって便利な機能である。
【０００４】
この連写機能による動作においては、短時間内で複数の画像を取得するため、デジタルスチルカメラに内蔵された半導体メモリー等の記憶部の記録容量を多く必要とするが、デジタルスチルカメラに搭載できる記憶部の記録容量には制限があるため、記憶部の記録領域を効率的に利用することが要求されている。また、ユーザーの利便性から連写時の各画像の撮像時間間隔を短くすることも要求されている。
【０００５】
以下、図１８乃至図２０を用いて従来のデジタルスチルカメラについて説明する。まず、従来のデジタルスチルカメラの構成について説明する。図１８は従来のデジタルスチルカメラの構成を示すブロック図である。なお、図中の実線矢印は画像信号の伝送を意味し、点線矢印は制御信号の伝送を意味する。以下、図１８における各構成要素について説明する。
【０００６】
まず、操作部１０１はシャッター釦等であり、ユーザーが操作部１０１を操作すると、操作部１０１から制御部１０２に連写撮影を指示する。また、制御部１０２は、撮像部１０３、第１の記憶部１０４、ＹＣ処理部１０５、圧縮変換部１０７、符号量測定部１０８、スケールファクター設定部１０９および記録部１１０を制御する。
【０００７】
また、撮像部１０３は、ＣＣＤ等の撮像素子（図示省略）を備え、光学系部位（図示省略）からの光学的信号をＲＧＢ三原色に分解してデジタル化した電気信号に変換する。そして、制御部１０２からの指示を受けたときに、その電気信号を第１の記憶部１０４に出力する。
【０００８】
また、第１の記憶部１０４は、撮像部１０３の出力であるＲＡＷデータまたはＹＣ処理部１０５の出力であるＹＣデータを記録するＲＡＷ／ＹＣ記録領域１０４ａおよび圧縮変換部１０７の出力を記録する圧縮データ記録領域１０４ｂを有する。また、制御部１０２の制御により、ＲＡＷ／ＹＣ記録領域１０４ａに記録されたＲＡＷデータをＹＣ処理部１０５に、ＲＡＷ／ＹＣ記録領域１０４ａに記録されたＹＣデータを圧縮変換部１０７に、圧縮データ記録領域１０４ｂに記録された圧縮データを記録部１１０にそれぞれ出力する。
【０００９】
また、ＹＣ処理部１０５は、制御部１０２の制御により、第１の記憶部１０４のＲＡＷ／ＹＣ記録領域１０４ａからＲＡＷデータを取得し、そのＲＡＷデータをＹＣデータに変換する。
【００１０】
また、圧縮変換部１０７は、ＲＡＷ／ＹＣ記録領域１０４ａおよびスケールファクター設定部１０９の出力を取得し、スケールファクター設定部１０９の出力であるスケールファクターに基づいてＲＡＷ／ＹＣ記録領域１０４ａの出力であるＹＣデータを圧縮データに変換し、その圧縮変換後の圧縮データを圧縮データ記録領域１０４ｂに出力する。
【００１１】
また、符号量測定部１０８は、制御部１０２の制御により、圧縮変換部１０７から圧縮データを取得し、その圧縮データの符号量を測定するものであり、カウンタ等から構成される。また、スケールファクター測定部１０９は符号量測定部１０８で測定された１フィールド分の符号量を基にスケールファクターを算出し、そのスケールファクターを内部に一時的に保存し、必要に応じて圧縮変換部１０７に出力する。また、記録部１１０は、フラッシュメモリ等からなり、制御部１０２の制御により、圧縮データ記録領域１０４ｂに記録された圧縮データを取得して、この圧縮データを記録する。
【００１２】
次に、従来のデジタルスチルカメラの１画面分の画像データを記録する時の動作について図１９を用いて説明する。図１９は、従来のデジタルスチルカメラにより１画面分の画像データを記録するときの制御部１０２の動作を示したフローチャートである。
【００１３】
まず、光学系部位（図示省略）からの光学的信号を撮像部１０３に入力し、撮像部１０３を制御することにより、その光学的信号をＲＡＷデータに変換させ、変換されたＲＡＷデータのうち第１フィールドのみを第１の記憶部１０４に出力させる（ステップＳ１０１）。なお、ＲＡＷデータは第１フィールドと第２フィールドとに分割されて出力され、第１フィールドでは偶数ラインの画素データについて出力され、第２フィールドでは奇数ラインの画素データについて出力される。
【００１４】
次に、第１の記憶部１０４を制御することにより、撮像部１０３の出力である偶数ラインのＲＡＷデータを取得させ、ＲＡＷ記録領域１０４ａへの記録を開始させる（ステップＳ１０２）。その偶数ラインの記録が完了すると、第１の記憶部１０４を制御することにより、撮像部１０３の出力である奇数ラインのＲＡＷデータを取得させ、ＲＡＷ記録領域１０４ａへの記録を開始させる（ステップＳ１０７）。次に、第１の記憶部１０４およびＹＣ処理部１０５を制御して、偶数ラインと奇数ラインのＲＡＷデータを交互にＲＡＷ／ＹＣ記録領域１０４ａからＹＣ処理部１０５に読出し、ＹＣ処理部１０５は読み出されたＲＡＷデータをＹＣデータに変換し、変換後のＹＣデータをＲＡＷ／ＹＣ記録領域１０４ａに出力する（ステップＳ１１０）。
【００１５】
次に、ステップＳ１０５において、制御部１０２は、第１の記憶部１０４、圧縮変換部１０７、符号量測定部１０８およびスケールファクター設定部１０９を制御して、スケールファクター設定部１０９にスケールファクターを、第１の記憶部１０４にＲＡＷデータをそれぞれ出力させ、そのスケールファクターに基づいて、取得したＲＡＷデータを圧縮変換部１０７に圧縮変換させ、圧縮変換によって得た圧縮データを符号量測定部１０８に出力させ、符号量測定部１０８には符号量すなわち圧縮データの総ビット数の測定をさせる。この符号量の測定、すなわち符号量見積もりが完了したかどうかを符号量測定部１０８を監視することにより判定する（ステップＳ１０８）。
【００１６】
次に、符号量見積もりが完了すると、符号量測定部１０８で測定された符号量に基づいてスケールファクターを設定し（ステップＳ１０９）、第１の記憶部１０４からＹＣデータを圧縮変換部１０７に読出し圧縮データに変換する（ステップＳ１１２）。最後に、圧縮変換部１０７を監視して、１画面分の圧縮変換が終了したとき、１画面分の撮像動作を終了する（ステップＳ１１３）。
【００１７】
次に、従来のデジタルスチルカメラの連写時タイミングチャートである図２０について説明する。図２０において横軸は時間である。なお、以下で説明する際に必要な時間は、それぞれＡ、Ｂ、Ｃ等と横軸に表記する。
【００１８】
また、図２０（ａ）はＲＡＷデータおよびＹＣデータをアクセスするアドレスの時間変化を示したタイミングチャートであり、縦軸はＲＡＷ／ＹＣ記録領域１０４ａのアドレスを示し、図中の上下の点線はそれぞれアドレスの上限と下限とを示し、太矢印線ａ１０１およびａ１０７は第１フィールドのＲＡＷデータの書込みアドレスの軌跡を示し、太矢印線ａ１０２およびａ１０８は第２フィールドのＲＡＷデータの書込みアドレスの軌跡を示し、細矢印線ａ１０３およびａ１０９はＲＡＷデータの読出しアドレスの軌跡を示し、太矢印線ａ１０４およびａ１１０はＹＣデータの書込みアドレスの軌跡を示し、細矢印線ａ１０５はＹＣデータの読出しアドレスの軌跡を示す。また、図２０（ｃ）は圧縮データの記録状態の時間変化を示したタイミングチャートであり、図中の上下の点線はそれぞれ記録状態と非記録状態とを示し、実線は記録の状態の軌跡を示し、ｃ１は１画面目の圧縮変換後の圧縮データを示す。
【００１９】
以上のように構成された従来のデジタルスチルカメラについて、連写を行ったときの動作を図１８乃至図２０を用いて以下説明する。
【００２０】
まず、図２０における時間Ａにおいて、ユーザーが操作部１０１を操作することにより、連写の動作が開始され、操作部１０１から制御部１０２に連写を開始する旨が指示される。その連写動作開始の旨の指示を受けると、制御部１０２は１画面目の撮像動作に移行する。すなわち、図１９に示すフローの動作に移行する。すると、時間Ａから時間Ｂまでに撮像部１０３で光学的信号をＲＡＷデータに変換する（ステップＳ１０１）。
【００２１】
次に、時間Ｂにおいて、ステップＳ１０２に移行し、ＲＡＷ／ＹＣ記録領域１０４ａに第１フィールドのＲＡＷデータを書き込み（図２０における軌跡ａ１０１）、時間ＣにＲＡＷ／ＹＣ記録領域１０４ａに第２フィールドのＲＡＷデータを書き込み始める（図２０における軌跡ａ１０２）。
【００２２】
次に、時間Ｄに第１フィールドおよび第２フィールドのＲＡＷデータを読出し（図２０における軌跡ａ１０３）、ＹＣ処理部１０５でＹＣデータに変換し（ステップＳ１１０）、変換された後のＹＣデータを第１の記憶部１０４に書き込む（図２０における軌跡ａ１０４）。
【００２３】
次に、時間Ｆに第１の記憶部１０４からＹＣデータを読み出して（図２０における軌跡ａ１０５）、この読み出されたＹＣデータを圧縮データに変換することにより符合量見積もりを開始し（ステップＳ１０５）、符号量見積もりが完了すると（時間Ｊ）、見積もり済みの符号量に基づいてスケールファクターを設定する（ステップＳ１０９）。次に、第１の記憶部４から再度ＹＣデータを読出し（図２０における軌跡ａ１０６）、読み出されたＹＣデータを圧縮データに変換し（ステップＳ１１２）、時間Ｌの直後に１画面目の圧縮データの記憶が終了する（ステップＳ１１３）。
【００２４】
一方、２画面目の入力画像は時間Ｋに第１フィールドのＲＡＷデータの第１の記憶部１０４への書き込み（図２０における軌跡ａ１０７）が開始される（ステップＳ１０２）。さらに、２画面目以降は１画面目と同様に動作し、所定の入力画像数分だけ撮影が行われると連写動作が終了する。
【００２５】
以上のように、従来のデジタルスチルカメラでは、ＲＡＷデータとＹＣデータとを同一の記録領域に交互に記録することにより、第１の記憶部の記憶容量を節約しつつ、連写機能を実現している。
【００２６】
【発明が解決しようとする課題】
しかしながら上記の従来の構成では、ＲＡＷデータの書込みが完了するまでＹＣデータの生成ができないため、連写動作に必要な時間を短縮することができないという問題点を有する。すなわち、任意の入力画像についてのＲＡＷデータの第１の記憶部１０４への書込みが終了した後、次の入力画像についてのＲＡＷデータの書込み開始までの時間を短縮することが困難なのである。
【００２７】
また、ＲＡＷ／ＹＣ記録領域１０４ａの容量を大きくしなければならないという問題点も有する。これは、ＲＡＷデータをＹＣデータに変換すると画素当たりのビット数が増大するので、従来のデジタルスチルカメラのようにＲＡＷデータとＹＣデータが同一の記録領域に記憶する場合は、ＲＡＷデータのみを記憶する場合と比べて大きくなるためである。
【００２８】
また、第１の記憶部１０４のインターフェイス部分では、撮像部１０３、ＹＣ処理部１０５、圧縮変換部１０７および記録部１１０との間で、ＲＡＷデータの読み書き、ＹＣデータの読み書きおよび圧縮データの読み書きが集中するので、第１の記憶部１０４へのアクセスがネックになって、デジタルスチルカメラ全体として信号処理の速度が遅くなるという問題点も有する。
【００２９】
本発明は上記従来の問題点を解決するもので、連写時に必要な動作時間の短縮を実現することができるデジタルスチルカメラを提供することを目的とする。
【００３０】
【課題を解決するための手段】
この目的を達成するために本発明のデジタルスチルカメラは、入力画像を示す光学的信号をＲＡＷデータに変換する撮像部と、撮像部で変換されたＲＡＷデータを記憶する第１の記憶部と、第１の記憶部で記憶されたＲＡＷデータをＹＣデータに変換するＹＣ処理部と、第１の記憶部に記憶されたＲＡＷデータのうち単色の画素についてのＲＡＷデータを単色の圧縮データに変換し、またはＹＣ処理部で変換されたＹＣデータをカラーの圧縮データに変換する圧縮変換部と、圧縮変換部で変換された単色の圧縮データに基づいて圧縮係数を算出する圧縮係数設定部と、圧縮係数設定部が圧縮係数を算出した後、第１の記憶部に記憶されているＲＡＷデータをＹＣデータに変換させるようＹＣ処理部を制御し、ＹＣ変換部で変換されたＹＣデータを圧縮係数設定部で算出された圧縮係数に基づいて圧縮データに変換するよう圧縮変換部を制御する制御部とを備えた構成を有している。
【００３１】
この構成によって、ＲＡＷデータの第１の記憶部への書き込みと圧縮係数を求めるための圧縮変換（符号量見積もり）とを並行して行うことができるため、連写時に必要な動作時間の短縮を実現するデジタルスチルカメラを得ることができる。
【００３２】
【発明の実施の形態】
本発明の請求項１に記載の発明は、入力画像を示す光学的信号をＲＡＷデータに変換する撮像部と、撮像部で変換されたＲＡＷデータを記憶する第１の記憶部と、第１の記憶部で記憶されたＲＡＷデータをＹＣデータに変換するＹＣ処理部と、第１の記憶部に記憶されたＲＡＷデータのうち単色の画素についてのＲＡＷデータを単色の圧縮データに変換し、またはＹＣ処理部で変換されたＹＣデータをカラーの圧縮データに変換する圧縮変換部と、圧縮変換部で変換された単色の圧縮データに基づいて圧縮係数を算出する圧縮係数設定部と、圧縮係数設定部が圧縮係数を算出した後、第１の記憶部に記憶されているＲＡＷデータをＹＣデータに変換させるようＹＣ処理部を制御し、ＹＣ変換部で変換されたＹＣデータを圧縮係数設定部で算出された圧縮係数に基づいて圧縮データに変換するよう圧縮変換部を制御する制御部とを有することを特徴としたものであり、圧縮係数を算出するための圧縮データの生成にはＲＡＷデータを用い、圧縮係数を算出した後の圧縮変換にはＹＣデータを用いることとしたため、ＲＡＷデータの書き込み動作と重複して符号量見積もりができるようになるので、また単色のＲＡＷデータを用いて符合量見積もりを行うため符号量見積もりの際の演算量を削減できるので、撮像に必要な動作時間を短縮することができるという作用を有する。
【００３３】
また、本発明の請求項２に記載の発明は、入力画像を示す光学的信号をＲＡＷデータに変換する撮像部と、撮像部で変換されたＲＡＷデータを記憶する第１の記憶部と、第１の記憶部で記憶されたＲＡＷデータをＹＣデータに変換するＹＣ処理部と、第１の記憶部に記憶されたＲＡＷデータのうち単色の画素についてのＲＡＷデータを記憶し、またはＹＣ処理部で変換されたＹＣデータを記憶する第２の記憶部と、第２の記憶部に記憶された単色のＲＡＷデータを単色の圧縮データに変換し、または第２の記憶部に記憶されたＹＣデータをカラーの圧縮データに変換する圧縮変換部と、圧縮変換部で変換された単色の圧縮データに基づいて圧縮係数を算出する圧縮係数設定部と、圧縮係数設定部が圧縮係数を算出した後、第１の記憶部に記憶されているＲＡＷデータをＹＣデータに変換させるようＹＣ処理部を制御し、ＹＣ変換部で変換されたＹＣデータを記憶させるよう第２の記憶部を制御し、第２の記憶部で記憶されたＹＣデータを圧縮係数設定部で算出された圧縮係数に基づいて圧縮データに変換するよう圧縮変換部を制御する制御部と、を有することを特徴としたものであり、第２の記憶部は第１の記憶部とは別に設けているので、第１の記憶部にＲＡＷデータの他にＹＣデータも記憶する場合と比べて、ＲＡＷデータへのアクセスとＹＣデータへのアクセスが交錯することが無くなり、第１の記憶部へのアクセス速度がボトルネックとなってデジタルスチルカメラ全体の処理スピードが低下することを防止でき、また第１の記憶部の消費電力を低くすることができるという作用を有する。
【００３４】
また、本発明の請求項３に記載の発明は、請求項１または請求項２に記載のデジタルスチルカメラであって、撮像部はＲＡＷデータを複数のフィールドに分割してフィールド毎に出力し、撮像部が最初のフィールドを出力している間に、圧縮変換部は単色のＲＡＷデータを圧縮データに変換し始めることを特徴としたものであり、ＲＡＷデータの書き込み動作と符号量見積もり動作を並行して行うことができるので、撮像に必要な動作時間を短縮することができるという作用を有する。
【００３５】
また、本発明の請求項４に記載の発明は、請求項１または請求項２に記載のデジタルスチルカメラであって、撮像部はＲＡＷデータを複数のフィールドに分割してフィールド毎に出力し、撮像部が最後のフィールドを出力している間に、圧縮変換部はＹＣデータを圧縮データに変換し始めることを特徴としたものであり、ＲＡＷデータの書き込み動作と圧縮変換動作を並行して行うことができるので、撮像に必要な動作時間を短縮することができるという作用を有する。
【００３６】
また、本発明の請求項５に記載の発明は、請求項１乃至４のいずれかに記載のデジタルスチルカメラであって、撮像部は赤、緑、青の画素から構成される撮像素子を備え、圧縮係数設定部は緑の画素のＲＡＷデータのみを用いて圧縮係数を算出することを特徴としたものであり、符号量見積もりのための演算量を低減すると共に、ＹＣデータの圧縮後の符号量を精度良く見積もることができるという作用を有する。
【００３７】
また、本発明の請求項６に記載の発明は、請求項１乃至４のいずれかに記載のデジタルスチルカメラであって、撮像部はシアン、マゼンダ、イエローの画素から構成される撮像素子を備えることを特徴としたものであり、そのうちのどの画素を選択して符号量見積もりを行った場合でも、原色系の画素のＲＡＷデータを用いて符号量見積もりを行った場合に比べて、ＹＣデータの圧縮後の符号量を精度良く見積もることができるという作用を有する。
【００３８】
また、本発明の請求項７に記載の発明は、請求項６に記載のデジタルスチルカメラであって、圧縮係数設定部はイエローの画素のＲＡＷデータのみを用いて圧縮係数を算出することを特徴としたものであり、シアンやマゼンダを用いて符号量見積もりを行った場合に比べて、実使用状況を考慮すると、ＹＣデータの圧縮後の符号量を精度良く見積もることができるという作用を有する。
【００３９】
また、本発明の請求項８に記載の発明は、請求項１乃至４のいずれかに記載のデジタルスチルカメラであって、撮像部はホワイトの画素を含む撮像素子を備え、圧縮係数設定部はホワイトの画素のＲＡＷデータのみを用いて圧縮係数を算出することを特徴としたものであり、画素Ｒ、Ｇ、Ｂ、Ｃ、Ｍ，Ｙ等のいずれかのフィルター付きの画素で生成されたＲＡＷデータを用いて符号量見積もりを行った場合に比べて、ＹＣデータの圧縮後の符号量を精度良く見積もることができるという作用を有する。
【００４０】
（実施の形態１）
以下、図１乃至図８を参照して本発明の実施の形態１に係るデジタルスチルカメラについて説明する。
【００４１】
まず、本発明の実施の形態１に係るデジタルスチルカメラの構成について図１を用いて説明する。図１は本発明の実施の形態１に係るデジタルスチルカメラの構成を示すブロック図である。なお、図中の実線矢印は画像信号の伝送を意味し、点線矢印は制御信号の伝送を意味する。以下、図１における各構成要素について説明する。
【００４２】
まず、操作部１はシャッター釦等であり、ユーザーが操作部１を操作すると、操作部１から制御部２に連写撮影を指示する。また、制御部２は、撮像部３、第１の記憶部４、ＹＣ処理部５、第２の記憶部６、圧縮変換部７、符号量測定部８、スケールファクター設定部９および記録部１０を制御する。
【００４３】
また、撮像部３は、ＣＣＤ等の撮像素子（図示省略）を備え、光学系部位（図示省略）からの光学的信号をＲＧＢ三原色に分解してデジタル化した電気信号に変換する。そして、制御部２からの指示を受けたときに、その電気信号を第１の記憶部４に出力する。なお、本明細書においては、撮像部３から出力される電気信号をＲＡＷデータという。
【００４４】
また、第１の記憶部４は、ＤＲＡＭ（ｄｙｎａｍｉｃ　ｒａｎｄｏｍ　ａｃｃｅｓｓ　ｍｅｍｏｒｙ）等からなり、撮像部３の出力であるＲＡＷデータを記録するＲＡＷ記録領域４ａおよび圧縮変換部７の出力である圧縮データを記録する圧縮データ記録領域４ｂを有する。また、制御部２の制御により、ＲＡＷ記録領域４ａに記録したＲＡＷデータをＹＣ処理部５または第２の記憶部６に、圧縮データ記録領域４ｂに記録した圧縮データを記録部１０にそれぞれ出力する。
【００４５】
また、ＹＣ処理部５は、制御部２の制御により、第１の記憶部４のＲＡＷ記録領域４ａからＲＡＷデータを取得し、そのＲＡＷデータをＹＣデータに変換する。なお、ＹＣデータとは、輝度信号（Ｙ信号）と色信号（Ｃ信号）とを重畳した信号をいう。また、第２の記憶部６は、第１の記憶部４に記憶されたＲＡＷデータまたはＹＣ処理部５の出力をＦＩＦＯ形式で順次記録し、圧縮変換部７に出力する。
【００４６】
また、圧縮変換部７は以下の機能を有しており、そのうちのいずれかを制御部２が選択して指示し、圧縮変換部７は指示された機能を行うよう設定されている。第１に、第２の記憶部６およびスケールファクター設定部９の出力を取得し、スケールファクター設定部９の出力であるスケールファクターに基づいて第２の記憶部６の出力である単色のＲＡＷデータを単色で圧縮変換し、その圧縮変換後の圧縮データを圧縮データ記録領域４ｂに出力する機能を有する。第２に、圧縮変換部７は、第２の記憶部６およびスケールファクター設定部９の出力を取得し、スケールファクター設定部９の出力であるスケールファクターに基づいて第２の記憶部６の出力であるＹＣデータをカラーで圧縮変換し、その圧縮変換後のデータすなわち圧縮データを符号量測定部８に出力する機能を有する。ここで、この圧縮変換の方式は例えばＪＰＥＧ等であり、ＪＰＥＧ圧縮の場合は、ＹＣデータを変換するときは水平１６画素、垂直８画素を１マクロブロックとして、単色のＲＡＷデータを変換するときは水平１６画素、垂直８画素を１マクロブロックとして読み出して圧縮変換する。なお、圧縮データのデータ量すなわち符号量はスケールファクターに依存して増減する。
【００４７】
また、符号量測定部８は、制御部２の制御により、圧縮変換部７から圧縮データを取得し、その圧縮データの符号量を測定するものであり、カウンタ等から構成される。また、スケールファクター測定部１０は符号量測定部８で測定した１フィールド分の符号量を基にスケールファクターを算出し、そのスケールファクターを内部に一時的に保存し、必要に応じて圧縮変換部７に出力する。なお、スケールファクターとは、圧縮変換において生成する符号量を制御するためのパラメーターをいう。なお、圧縮係数設定部は符号量測定部８およびスケールファクター設定部９より構成される。
【００４８】
また、記録部１０は、フラッシュメモリ等からなり、制御部２の制御により、圧縮データ記録領域４ｂに記録された圧縮データを取得して、この圧縮データを記録する。なお、記録部１０は、本発明の実施の形態１に係るデジタルスチルカメラに内蔵されるものでもよいし、メモリカードとして本発明の実施の形態１に係るデジタルスチルカメラに着脱可能なものでもよい。
【００４９】
ここで、撮像部３を構成する撮像素子の一部の構成を示す平面模式図を図２に示す。図２において、Ｒ、Ｇ、Ｂは、それぞれ赤、緑、青を検知する画素を示す。具体的には、Ｒは光学信号検出用の素子上に赤を中心にした光のみが透過できるフィルターを形成した画素であり、当該素子に照射された赤い光の強度を検出できるものである。また、同様に、Ｇは光学信号検出用の素子上に緑を中心にした光のみが透過できるフィルターを形成した画素であり、Ｂは光学信号検出用の素子上に青を中心にした光のみが透過できるフィルターを形成した画素である。なお、図２は撮像素子表面の一部を示したものであり、実際の撮像素子は図２に示す画素のパターンが繰り返されて素子の略全面に形成されているものである。
【００５０】
また、図３は各受光素子の感度特性を示す特性図であり、横軸は入力画像の光学的信号の波長を、縦軸は受光強度を示し、点線間で示された範囲は可視光の範囲を示す。また、図３（Ｒ）は画素Ｒ、図３（Ｇ）は画素Ｇ、図３（Ｂ）は画素Ｂの感度特性をそれぞれ示す特性図である。図示する通り、画素Ｒの感度領域は可視光領域の長波長側に位置し、画素Ｇは中央付近、画素Ｂは短波長側にそれぞれ位置する。
【００５１】
次に、本発明の実施の形態１に係るデジタルスチルカメラの１画面分の画像データを記録する時の動作について図４を用いて説明する。図４は、本発明の実施の形態１に係るデジタルスチルカメラにより１画面分の画像データを記録するときの制御部２の動作を示したフローチャートである。
【００５２】
まず、光学系部位（図示省略）からの光学的信号を撮像部３に入力し、撮像部３を制御することにより、その光学的信号をＲＡＷデータに変換させ、変換されたＲＡＷデータのうち第１フィールドのみを第１の記憶部４に出力させる（ステップＳ１）。なお、ＲＡＷデータは第１フィールドと第２フィールドとに分割されて出力され、第１フィールドでは偶数ラインの画素データについて出力され、第２フィールドでは奇数ラインの画素データについて出力される。従って、図２に示すＲＡＷデータのうち図５に示す偶数ラインのＲＡＷデータのみを出力する。
【００５３】
次に、第１の記憶部４を制御することにより、撮像部３の出力である偶数ラインのＲＡＷデータを取得させ、ＲＡＷ記録領域４ａへの記録を開始させる（ステップＳ２）。
【００５４】
次に、第１の記憶部４および第２の記憶部６を制御して、第２の記憶部６に、第１の記憶部４からＲＡＷデータのうち画素Ｇに関するデータのみを取得させ（ステップＳ３）、第２の記憶部６を監視して（ステップＳ４）、圧縮変換部７で変換できる１マクロブロック分のＲＡＷデータが読み出された時、ステップＳ５に移行する。なお、単色でのＪＰＥＧ変換においては、この１マクロブロック分とは水平８画素×垂直８画素のＲＡＷデータに相当する。
【００５５】
ここで、第２の記憶部６の監視について図６を用いて説明する。図６は第２の記憶部６を示す模式図である。点線で表す横線で区切られた部分がそれぞれ走査線１本毎のＲＡＷデータの記録領域を示す。従って、第２の記憶部６は１６本の走査線のＲＡＷデータを記録できる。図中のハッチングで示す部分は、第１の記憶部４から読み出されたＲＡＷデータのうち画素Ｇに関するデータが記録された部分である。ここで、第２の記憶部６への記録は、記録領域ａへの記録が完了すると記録領域ｂへの記録が開始され、更に記録領域ｂへの記録が完了すると新たに記録領域ａへの記録が開始されるよう設定されている。すなわち、ＦＩＦＯ形式で常に最新のＲＡＷデータを記録するよう作用する。また、上述のように、ＪＰＥＧ変換の場合、８画素×８画素以上のＲＡＷデータが記録されたとき、ステップＳ５に移行する。
【００５６】
次に、ステップＳ５において、第１の記憶部４、圧縮変換部７、符号量測定部８およびスケールファクター設定部９を制御して、次の動作を行う。まず、スケールファクター設定部９にスケールファクターを、第２の記憶部６にＲＡＷデータのうち画素Ｇに関するデータをそれぞれ出力させる。次に、そのスケールファクターに基づいて、取得した単色のＲＡＷデータを圧縮変換部７に圧縮変換させ、圧縮変換によって得た圧縮データを符号量測定部８に出力させ、符号量測定部８には符号量すなわち圧縮データの総ビット数の測定をさせる。このとき、第２の記憶部６に記憶されているデータおよび圧縮変換部７が圧縮するデータは図７に示すように画素ＧについてのみのＲＡＷデータである。
【００５７】
次に、ステップＳ６において、第１の記憶部４を制御して、第１フィールドのＲＡＷデータの第１の記憶部４への記録が完了したかどうかを監視し、完了したときにステップＳ７に移行し、第１の記憶部４に撮像部３から第２フィールドのＲＡＷデータを取得させ、取得された第２フィールドのＲＡＷデータを記憶させる。このとき、第１の記憶部４には、第１フィールドのＲＡＷデータの記憶を保持しつつ、第２フィールドのＲＡＷデータを記憶する。
【００５８】
次に、圧縮変換部７を監視して、第１フィールドのＲＡＷデータの圧縮変換が完了したかどうかを判断し（ステップＳ８）、圧縮変換が完了するとステップＳ９に移行し、符号量測定部８で測定した符号量に基づいてスケールファクターを設定する。具体的には、スケールファクター設定部９は、符号量測定部８で測定された符号量の多寡に応じて、ステップＳ５の圧縮変換の際に用いたスケールファクターを変更することにより新たなスケールファクターを設定する。なお、符号量見積もりを行うのは、ＹＣデータを変換して得られる圧縮データを所望の符号量とするためであるが、そのためにはステップＳ５における画素Ｇの符号量を正しく測定し、かつその符号量と後述するＹＣデータを変換して得られる圧縮データの符号量とが強い相関を有することが必要である。
【００５９】
次に、第１の記憶部４からＲＡＷデータをＹＣ処理部５に読出しＹＣデータに変換する。このときのＲＡＷデータは第１フィールドおよび第２フィールドの図２に示す全画素のＲＡＷデータすなわちカラーのＲＡＷデータである。変換されたＹＣデータは第２の記憶部６に出力され、第２の記憶部６に１マクロブロック分のＹＣデータを記憶したとき（ステップＳ１１）、ステップＳ１２に移行する。ステップＳ１２において、圧縮変換部７は、スケールファクター９からステップＳ９で設定されたスケールファクターを取得し、第２の記憶部６から取得したＹＣデータをスケールファクターに基づいて圧縮データに変換する。最後に、圧縮変換部７を監視して、１画面分の圧縮変換が終了したとき、１画面分の撮像動作を終了する（ステップＳ１３）。
【００６０】
次に、本発明の実施の形態１に係るデジタルスチルカメラの連写時タイミングチャートである図８について説明する。図８において横軸は時間である。なお、以下で説明する際に必要な時間は、それぞれＡ、Ｂ、Ｃ等と横軸に表記する。
【００６１】
また、図８（ａ）はＲＡＷデータをアクセスするアドレスの時間変化を示したタイミングチャートであり、縦軸はＲＡＷ記録領域４ａのアドレスを示し、図中の上下の点線はそれぞれアドレスの上限と下限とを示し、太矢印線ａ１、ａ５およびａ９は第１フィールドのＲＡＷデータの書込みアドレスの軌跡を示し、太矢印線ａ３、ａ７およびａ１１は第２フィールドのＲＡＷデータの書込みアドレスの軌跡を示し、細矢印線ａ２、ａ６およびａ１０は第１フィールドのＲＡＷデータのうち画素Ｇについての読出しアドレスの軌跡を示し、細矢印線ａ４、ａ８およびａ１２は第１フィールドおよび第２フィールドのＲＡＷデータについての読出しアドレスの軌跡を示す。
【００６２】
また、図８（ｂ）は第２の記憶部６におけるＹＣデータの記録状態の時間変化を示したタイミングチャートであり、図中の上下の点線はそれぞれ記録状態と非記録状態とを示し、実線は記録の状態の軌跡を示し、それぞれｂ１は１画面目、ｂ２は２画面目、ｂ３は３画面目のＲＡＷ／ＹＣ変換後のＹＣデータをそれぞれ示す。また、図８（ｃ）は圧縮データの記録状態の時間変化を示したタイミングチャートであり、図中の上下の点線はそれぞれ記録状態と非記録状態とを示し、実線は記録の状態の軌跡を示し、ｃ１は１画面目、ｃ２は２画面目、ｃ３は３画面目の圧縮変換後の圧縮データをそれぞれ示す。
【００６３】
以上のように構成された本発明の実施の形態１に係るデジタルスチルカメラについて、連写を行ったときの動作を図１乃至図８を用いて以下説明する。
【００６４】
まず、図８における時間Ａにおいて、ユーザーが操作部１を操作することにより、連写の動作が開始され、操作部１から制御部２に連写を開始する旨が指示される。その連写動作開始の旨の指示を受けると、制御部２は１画面目の撮像動作に移行する。すなわち、図４に示すフローの動作に移行する。すると、時間Ａから時間Ｂまでに撮像部３で光学的信号をＲＡＷデータに変換する（ステップＳ１）。
【００６５】
次に、時間Ｂにおいて、ステップＳ２に移行し、ＲＡＷ記録領域４ａに第１フィールドのＲＡＷデータを書き込み（図８における軌跡ａ１）、時間Ｃに第１フィールドのＲＡＷデータのうち画素Ｇについてのデータのみを読み出して（図８における軌跡ａ２）、第２の記憶部６に書き込み始める（ステップＳ３）。そして、その書き込みが１ブロック分になると（ステップＳ４）、圧縮変換部７で圧縮データに変換する（ステップＳ５）。
【００６６】
次に、時間Ｄに第１フィールドのＲＡＷデータの第１の記憶部４への書き込みが終了すると制御部２が検知し（ステップＳ６）、第２フィールドのＲＡＷデータの書き込み（図８における軌跡ａ３）が開始される（ステップＳ７）。
【００６７】
次に、時間Ｅに符合量見積もりが終了すると（ステップＳ８）、見積もり済みの符号量に基づいてスケールファクターを設定し（ステップＳ９）、第１の記憶部４からＲＡＷデータを読出し（図８における軌跡ａ４）、読み出したＲＡＷデータをＹＣデータに変換する（ステップＳ１０）。また、変換後のＹＣデータは第２の記憶部６に一時的に記憶される。
【００６８】
次に、第２の記憶部６を監視して（ステップＳ１１）、時間Ｆに１マクロブロック分のＹＣデータが記憶されたとすると、圧縮変換部７が、スケールファクター設定部９からスケールファクターを取得して、そのスケールファクターに基づいて、第２の記憶部６から取得されたＹＣデータを圧縮データに変換する（ステップＳ１２）。そして、圧縮変換後の圧縮データは逐次圧縮データ記録領域４ｂに記憶される（図８における軌跡ｃ１）。次に、時間Ｇに第２フィールドのＲＡＷデータの書き込み（図８における軌跡ａ３）が終了し、時間Ｊに１画面目の圧縮データの記憶が終了する。
【００６９】
一方、２画面目の入力画像は時間Ｇに撮像部３で露光が開始され（ステップＳ１）、時間Ｈに第１フィールドのＲＡＷデータの第１の記憶部４への書き込み（図８における軌跡ａ５）が開始される（ステップＳ２）。さらに、２画面目以降は１画面目と同様に動作し、所定の入力画像数分だけ撮影が行われると連写動作が終了する。
【００７０】
なお、圧縮データは、時間Ｇに第１の記憶部４から記録部１０に転送が開始され、順次撮影した入力画像の圧縮データを転送することとなるが、一般に記録部１０の記録速度は遅いため、上記の連写動作後も記録部１０での記録は続き、所定の入力画像分だけ記録した時点で複写を終了する。
【００７１】
また、図７における軌跡ａ２、ａ６、ａ１０と比較して、軌跡ａ４、ａ８、ａ１２の勾配が緩やかであるのは、軌跡ａ２、ａ６、ａ１０の場合はＲＡＷデータのうち一部のみを読み出せばよいのに対して、軌跡ａ４、ａ８、ａ１２の場合は１画面分のＲＡＷデータを全て読み出す必要があるからである。
【００７２】
また、ステップＳ４における符号量見積もりを画素ＧのＲＡＷデータを圧縮変換することにより得るようにしたのは、図３に示すように画素Ｇの感度領域が可視光の中央に位置し、輝度信号の主成分とも言える信号だからである。輝度信号の主成分であることは、輝度を求める式「輝度＝０．２９９×Ｒ＋０．５８７×Ｇ＋０．１１４×Ｂ」より明らかである。また、輝度信号の主成分であることから符号量見積もり用の信号に採用したのは、輝度信号は圧縮変換されるＹＣデータの３分の２を占めるデータであり、かつ輝度信号の圧縮変換後の符号量を見積もるためにはその主成分である画素ＧのＲＡＷデータを用いて符号量見積もりするのが最も有利だからである。但し、画素Ｒや画素ＢのＲＡＷデータを用いても、ある程度の精度でＹＣデータの圧縮変換後の符号量を見積もることは可能である。
【００７３】
以上のように本発明の実施の形態１によれば、本発明の実施の形態１に係るデジタルスチルカメラが、入力画像を示す光学的信号をＲＡＷデータに変換する撮像部３と、撮像部３で変換されたＲＡＷデータを記憶する第１の記憶部４と、第１の記憶部４で記憶されたＲＡＷデータをＹＣデータに変換するＹＣ処理部５と、第１の記憶部４に記憶されたＲＡＷデータのうち単色の画素、例えば画素ＧについてのＲＡＷデータを単色の圧縮データに変換し、ＹＣ処理部５で変換されたＹＣデータをカラーの圧縮データに変換する圧縮変換部７と、圧縮変換部７で変換された単色の圧縮データに基づいてスケールファクターを算出するスケールファクター設定部９と、スケールファクター設定部９がスケールファクターを算出した後、第１の記憶部４に記憶されているＲＡＷデータをＹＣデータに変換させるようＹＣ処理部４を制御し、ＹＣ変換部４で変換されたＹＣデータをスケールファクター設定部９で算出されたスケールファクターに基づいて圧縮データに変換するよう圧縮変換部７を制御する制御部２とを有することにより、ＲＡＷデータとＹＣデータを別の記録領域に記録するようにし、ステップＳ５の符号量見積もりにはＲＡＷデータを用い、ステップＳ１２における圧縮変換にはＹＣデータを用いることとしたため、ＲＡＷデータの書き込み動作と重複して符号量見積もりができるようになる。また、単色のＲＡＷデータを用いて符合量見積もりを行うので、符号量見積もりの際の演算量を削減できる。その結果、撮像に必要な動作時間を短縮することができる。
【００７４】
また、本発明の実施の形態１に係るデジタルスチルカメラが、入力画像を示す光学的信号をＲＡＷデータに変換する撮像部３と、撮像部３で変換されたＲＡＷデータを記憶する第１の記憶部４と、第１の記憶部４で記憶されたＲＡＷデータをＹＣデータに変換するＹＣ処理部５と、第１の記憶部４に記憶されたＲＡＷデータのうち単色の画素についてのＲＡＷデータを記憶し、またはＹＣ処理部５で変換されたＹＣデータを記憶する第２の記憶部６と、第２の記憶部６に記憶された単色のＲＡＷデータを単色の圧縮データに変換し、第２の記憶部６に記憶されたＹＣデータをカラーの圧縮データに変換する圧縮変換部７と、圧縮変換部７で変換された単色の圧縮データに基づいてスケールファクターを算出するスケールファクター設定部９と、スケールファクター設定部９がスケールファクターを算出した後、第１の記憶部４に記憶されているＲＡＷデータをＹＣデータに変換させるようＹＣ処理部５を制御し、ＹＣ変換部５で変換されたＹＣデータを記憶させるよう第２の記憶部６を制御し、第２の記憶部６で記憶されたＹＣデータをスケールファクター設定部９で算出されたスケールファクターに基づいて圧縮データに変換するよう圧縮変換部７を制御する制御部２とを有するため、第２の記憶部６は第１の記憶部４とは別に設けているので、第１の記憶部４にＲＡＷデータの他にＹＣデータも記憶する場合と比べて、ＲＡＷデータへのアクセスとＹＣデータへのアクセスが交錯することが無くなり、第１の記憶部４へのアクセス速度がボトルネックとなってデジタルスチルカメラ全体の処理スピードが低下することを防止できる。また、第１の記憶部４の消費電力を低くすることができる。さらに、第２の記憶部６と制御部２とＹＣ処理部５と圧縮変換部７を１つの半導体チップ上で構成すると、第２の記憶部６の消費電力を低減でき、また第２の記憶部６へのアクセススピードを速くすることができる。
【００７５】
また、撮像部３はＲＡＷデータを複数のフィールドに分割してフィールド毎に出力し、撮像部３が最初のフィールドを出力している間に、圧縮変換部７はスケールファクター設定部９でスケールファクターを設定するための圧縮変換を開始するため、ＲＡＷデータの書き込み動作と符号量見積もり動作を並行して行うことができるので、撮像に必要な動作時間を短縮することができる。
【００７６】
また、撮像部３はＲＡＷデータを複数のフィールドに分割してフィールド毎に出力し、撮像部３が最後のフィールドを出力している間に、圧縮変換部７はＹＣデータを圧縮データに変換し始めるため、ＲＡＷデータの書き込み動作と圧縮変換動作を並行して行うことができるので、撮像に必要な動作時間を短縮することができる。
【００７７】
さらに、撮像部３は赤、緑、青の画素から構成される撮像素子を備え、スケールファクター設定部９は緑の画素のＲＡＷデータのみを用いてスケールファクターを算出するため、符号量見積もりのための演算量を低減すると共に、ＹＣデータの圧縮後の符号量を精度良く見積もることができる。
【００７８】
（実施の形態２）
本発明の実施の形態２に係るデジタルスチルカメラは、Ｒ、Ｇ、Ｂの画素からなる撮像素子を備える撮像部３に代えて、Ｃ、Ｍ、Ｙの画素からなる撮像素子を備える撮像部１３を設けた点で、本発明の実施の形態１に係るデジタルスチルカメラと相違する。以下、上記の相違点を中心に、図９乃至図１３を用いて本発明の実施の形態２に係るデジタルスチルカメラについて説明する。
【００７９】
まず、本発明の実施の形態２に係るデジタルスチルカメラの構成について説明する。図９は本発明の実施の形態２に係るデジタルスチルカメラの構成を示すブロック図である。図９において、撮像部１３は、ＣＣＤ等の撮像素子（図示省略）を備え、光学系部位（図示省略）からの光学的信号をＣ（シアン）、Ｍ（マゼンダ）、Ｙ（イエロー）の三色に分解してデジタル化した電気信号に変換する。そして、制御部２からの指示を受けたときに、その電気信号を第１の記憶部４に出力する。なお、他の構成要素は本発明の実施の形態１に係るデジタルスチルカメラと同一であるため説明を省略する。
【００８０】
次に、撮像部１３を構成する撮像素子の一部の構成を示す平面模式図を図１０に示す。図１０において、Ｃ、Ｍ、Ｙは、それぞれシアン、マゼンダ、イエローを検知する画素を示す。具体的には、Ｃは光学信号検出用の素子上に赤を中心にした光が透過できないフィルターを形成した画素であり、当該素子に照射された赤以外の光の強度を検出できるものである。また、同様に、Ｍは光学信号検出用の素子上に緑を中心にした光が透過できないフィルターを形成した画素であり、Ｙは光学信号検出用の素子上に青を中心にした光が透過できないフィルターを形成した画素である。従って、シアンは赤の、マゼンダは緑の、イエローは青のそれぞれ補色である。なお、図１０は撮像素子表面の一部を示したものであり、実際の撮像素子は図１０に示す画素のパターンが繰り返されて素子の略全面に形成されているものである。
【００８１】
また、図１１は各受光素子の感度特性を示す特性図であり、横軸は入力画像の光学的信号の波長を、縦軸は受光強度を示し、点線間で示された範囲は可視光の範囲を示す。また、図１１（Ｃ）は画素Ｃ、図１１（Ｍ）は画素Ｍ、図１１（Ｙ）は画素Ｙの感度特性をそれぞれ示す特性図である。前述のように、シアンは赤の補色であるので、図１１（Ｃ）に示す感度曲線と図３（Ｒ）に示す感度曲線とを加算すると可視光全域をカバーしたホワイトとなる。また、マゼンダと緑との関係、イエローと青との関係においても同様である。
【００８２】
次に、本発明の実施の形態２に係るデジタルスチルカメラの１画面分の画像データを記録する時の動作について説明する。本発明の実施の形態２に係るデジタルスチルカメラは本発明の実施の形態１に係るデジタルスチルカメラと同様のフローに従って動作するため、１画面分の画像データを記録するときの制御部２の動作を示したフローチャートである図４を用いて説明する。
【００８３】
まず、光学系部位（図示省略）からの光学的信号を撮像部１３に入力し、撮像部１３を制御することにより、その光学的信号をＲＡＷデータに変換させ、変換されたＲＡＷデータのうち第１フィールドのみを第１の記憶部４に出力させる（ステップＳ１）。ここで、撮像部１３が生成したＲＡＷデータは図１０に示す配列を構成するものであり、撮像部１３が出力する第１フィールドのＲＡＷデータは図１２に示す配列を構成するものである。
【００８４】
次に、第１の記憶部４を制御することにより、撮像部１３の出力である偶数ラインのＲＡＷデータを取得させ、ＲＡＷ記録領域４ａへの記録を開始させる（ステップＳ２）。
【００８５】
次に、第１の記憶部４および第２の記憶部６を制御して、第２の記憶部６に、第１の記憶部４からＲＡＷデータのうち画素Ｙに関するデータのみを取得させ（ステップＳ３）、第２の記憶部６を監視して（ステップＳ４）、圧縮変換部７で変換できる１マクロブロック分のＲＡＷデータが読み出された時、ステップＳ５に移行する。なお、第２の記憶部６に記憶されたＲＡＷデータは図１３に示す配列を構成するものである。
【００８６】
以下、ステップＳ５からステップＳ１３における動作は、本発明の実施の形態１に係るデジタルスチルカメラにおいては画素Ｇのデータを用いて符合量見積もりを行っていたのに対して、本発明の実施の形態２に係るデジタルスチルカメラにおいては画素Ｙのデータを用いて行うこと以外は、本発明の実施の形態１に係るデジタルスチルカメラの動作と同様であるので説明を省略する。
【００８７】
また、連写動作時のタイミングにおいても、図８に示す本発明の実施の形態１に係るデジタルスチルカメラの動作タイミングと同様であるため説明を省略する。
【００８８】
なお、本発明の実施の形態２に係るデジタルスチルカメラにおいて、撮像部１３がＣ、Ｍ、Ｙの画素からなる撮像素子を備えることにより、すなわち本発明の実施の形態１に係るデジタルスチルカメラが原色系の撮像素子を用いているのに対して、補色系の撮像素子を用いることにより、本発明の実施の形態１に係るデジタルスチルカメラよりも符号量見積もりの精度を向上させることが可能である。それは、図３と図１０を比較すると明らかなように、原色系の受光素子に比べて補色系の受光素子の方が広い波長領域に対して感度を有するためである。例えば、被写体の色が赤と緑であるとき、原色系である画素Ｂのデータを用いて符合量見積もりをした場合と、補色系である画素Ｃのデータを用いた場合とを比較し考察する。すると、画素Ｇは赤と緑に感度を有しないので符号量測定をしても有効な結果が得られないのに対して、画素Ｃは緑にも感度を有し、符号量測定により有効な結果が得られる。
【００８９】
さらに、補色系の画素の中では画素Ｙのデータを用いて符合量見積もりを行うことが有利である。それは、イエローが赤と緑とを合わせたものであり、輝度を求める変換式｛輝度＝０．２９９×Ｒ＋０．５８７×Ｇ＋０．１１４×Ｂ｝から分かる通り、輝度の主成分が緑であり、次が赤であるため、それらを合わせたイエローを用いて符号量見積もりを行うと、ＹＣデータの符号量を最適に求めることができるからである。
【００９０】
また、デジタルスチルカメラの実使用状況を考慮しても、画素Ｙのデータを用いて符合量見積もりを行うことは有利であるといえる。それは、圧縮変換は、焦点が合っていて細部まで写っている被写体の部分を多量の符合に変換し、焦点が合っておらず、輪郭が明確でない背景部分は比較的少量の符合に変換する性質があるため、野外における人物撮影では、肌色に近いイエローから生成される信号性分が多量の符合を生成し、空の色に近いブルーから生成される信号性分は少量の符合しか生成しないので、ＲＡＷデータのうちイエローのデータを圧縮変換することにより、信頼性の高い符合量見積りが可能である。また、屋内でも、白色光よりは赤に近い暖色系の照明が好まれるので、カメラに入射する光の強度分布は赤の側に偏ることが多く、そのためイエローの撮像素子群は入力光のうち、より多くの部分を変換することになるためである。
【００９１】
以上のように本発明の実施の形態２によれば、撮像部１３はシアン、マゼンダ、イエローの画素から構成される撮像素子を備えるため、そのうちのどの画素を選択して符号量見積もりを行った場合でも、原色系の画素のＲＡＷデータを用いて符号量見積もりを行った場合に比べて、ＹＣデータの圧縮後の符号量を精度良く見積もることができる。
【００９２】
また、撮像部１３はシアン、マゼンダ、イエローの画素から構成される撮像素子を備え、スケールファクター設定部９はイエローの画素のＲＡＷデータのみを用いてスケールファクターを算出するため、シアンやマゼンダを用いて符号量見積もりを行った場合に比べて、本発明の実施の形態２に係るデジタルスチルカメラの実使用状況を考慮すると、ＹＣデータの圧縮後の符号量を精度良く見積もることができる。
【００９３】
（実施の形態３）
本発明の実施の形態３に係るデジタルスチルカメラは、Ｒ、Ｇ、Ｂ、の画素からなる撮像素子を備える撮像部３に代えて、Ｒ、Ｇ、Ｂ、Ｗの画素からなる撮像素子を備える撮像部２３を設けた点で、本発明の実施の形態１に係るデジタルスチルカメラと相違する。以下、上記の相違点を中心に、図１４乃至図１７を用いて本発明の実施の形態３に係るデジタルスチルカメラについて説明する。
【００９４】
まず、本発明の実施の形態３に係るデジタルスチルカメラの構成について説明する。図１４は本発明の実施の形態３に係るデジタルスチルカメラの構成を示すブロック図である。図１４において、撮像部２３は、ＣＣＤ等の撮像素子（図示省略）を備え、光学系部位（図示省略）からの光学的信号をＲ、Ｇ、Ｂ、Ｗ（ホワイト）の４色に分解してデジタル化した電気信号に変換する。そして、制御部２からの指示を受けたときに、その電気信号を第１の記憶部４に出力する。なお、他の構成要素は本発明の実施の形態１に係るデジタルスチルカメラと同一であるため説明を省略する。
【００９５】
次に、撮像部２３を構成する撮像素子の一部の構成を示す平面模式図を図１５に示す。図１５において、Ｒ、Ｇ、Ｂは、それぞれ赤、緑、青を検知する画素を示し、本発明の実施の形態１と同様なので説明を省略する。Ｗは可視光領域全域の光を検知する画素であり、具体的には、Ｗは光学信号検出用の素子上に光の透過を防止するフィルターを形成されていない画素であり、当該素子に照射された光の強度を可視光領域全体で検出できるものである。なお、図１５は撮像素子表面の一部を示したものであり、実際の撮像素子は図１５に示す画素のパターンが繰り返されて素子の略全面に形成されているものである。
【００９６】
次に、本発明の実施の形態３に係るデジタルスチルカメラの１画面分の画像データを記録する時の動作について説明する。本発明の実施の形態３に係るデジタルスチルカメラは本発明の実施の形態１に係るデジタルスチルカメラと同様のフローに従って動作するため、１画面分の画像データを記録するときの制御部２の動作を示したフローチャートである図４を用いて説明する。
【００９７】
まず、光学系部位（図示省略）からの光学的信号を撮像部２３に入力し、撮像部２３を制御することにより、その光学的信号をＲＡＷデータに変換させ、変換されたＲＡＷデータのうち第１フィールドのみを第１の記憶部４に出力させる（ステップＳ１）。ここで、撮像部２３が生成したＲＡＷデータは図１５に示す配列を構成するものであり、撮像部２３が出力する第１フィールドのＲＡＷデータは図１６に示す配列を構成するものである。
【００９８】
次に、第１の記憶部４を制御することにより、撮像部２３の出力である偶数ラインのＲＡＷデータを取得させ、ＲＡＷ記録領域４ａへの記録を開始させる（ステップＳ２）。
【００９９】
次に、第１の記憶部４および第２の記憶部６を制御して、第２の記憶部６に、第１の記憶部４からＲＡＷデータのうち画素Ｗに関するデータのみを取得させ（ステップＳ３）、第２の記憶部６を監視して（ステップＳ４）、圧縮変換部７で変換できる１マクロブロック分のＲＡＷデータが読み出された時、ステップＳ５に移行する。なお、第２の記憶部６に記憶されたＲＡＷデータは図１３に示す配列を構成するものである。
【０１００】
以下、ステップＳ５からステップＳ１３における動作は、本発明の実施の形態１に係るデジタルスチルカメラにおいては画素Ｗのデータを用いて符合量見積もりを行っていたのに対して、本発明の実施の形態３に係るデジタルスチルカメラにおいては画素Ｗのデータを用いて行うこと以外は、本発明の実施の形態１に係るデジタルスチルカメラの動作と同様であるので説明を省略する。
【０１０１】
また、連写動作時のタイミングにおいても、図８に示す本発明の実施の形態１に係るデジタルスチルカメラの動作タイミングと同様であるため説明を省略する。
【０１０２】
なお、本発明の実施の形態３に係るデジタルスチルカメラにおいて、撮像部２３が画素Ｗを含む撮像素子を備えることにより、画素ＷのＲＡＷデータを用いて符合量見積もりを行うことにより、本発明の実施の形態１に係るデジタルスチルカメラよりも符号量見積もりの精度を向上させることが可能である。それは、図３から明らかなように、Ｒ、Ｇ、Ｂの受光素子で検出されたＲＡＷデータに比べて、Ｗの受光素子の方が広い波長領域に対して感度を有するからである。また、４：１：１形式でＪＰＥＧ圧縮する際はＹＣデータのうち３分の２が輝度信号（Ｙ信号）なので、画素ＷのＲＡＷデータを圧縮変換して得られる圧縮データの符号量はＹＣデータを圧縮変換して得られる圧縮データの符号量と強い相関があるからである。
【０１０３】
また、画素Ｗは可視光領域全域にわたって受光感度を有するので、被写体の発する光が可視光である限りどんな波長のものであっても、確実に符号量を見積もることができる。
【０１０４】
以上のように本発明の実施の形態３によれば、撮像部２３はホワイトの画素を含む撮像素子を備え、スケールファクター設定部９はホワイトの画素のＲＡＷデータのみを用いて圧縮係数を算出するため、画素Ｒ、Ｇ、Ｂ、Ｃ、Ｍ，Ｙ等のいずれかのフィルター付きの画素で生成されたＲＡＷデータを用いて符号量見積もりを行った場合に比べて、ＹＣデータの圧縮後の符号量を精度良く見積もることができる。
【０１０５】
【発明の効果】
以上のように本発明は、連写時に必要な動作時間を短縮できるという優れた効果が得られる。
【図面の簡単な説明】
【図１】本発明の実施の形態１に係るデジタルスチルカメラの構成を示すブロック図
【図２】本発明の実施の形態１係るデジタルスチルカメラの撮像部の画素の構成を示す模式図
【図３】本発明の実施の形態１に係るデジタルスチルカメラの撮像部の画素の感度を示す特性図
【図４】本発明の実施の形態１に係るデジタルスチルカメラの動作説明のためのフローチャート
【図５】本発明の実施の形態１に係るデジタルスチルカメラの動作説明のための画素データの配列を示す模式図
【図６】本発明の実施の形態１に係るデジタルスチルカメラの第２の記憶部の記録領域の構成を示す模式図
【図７】本発明の実施の形態１に係るデジタルスチルカメラの動作説明のための画素データの配列を示す模式図
【図８】本発明の実施の形態１に係るデジタルスチルカメラの動作説明のためのタイミングチャート
【図９】本発明の実施の形態２に係るデジタルスチルカメラの構成を示すブロック図
【図１０】本発明の実施の形態２係るデジタルスチルカメラの撮像部の画素の構成を示す模式図
【図１１】本発明の実施の形態２に係るデジタルスチルカメラの撮像部の画素の感度を示す特性図
【図１２】本発明の実施の形態２に係るデジタルスチルカメラの動作説明のための画素データの配列を示す模式図
【図１３】本発明の実施の形態２に係るデジタルスチルカメラの動作説明のための画素データの配列を示す模式図
【図１４】本発明の実施の形態３に係るデジタルスチルカメラの構成を示すブロック図
【図１５】本発明の実施の形態３に係るデジタルスチルカメラの撮像部の画素の構成を示す模式図
【図１６】本発明の実施の形態３に係るデジタルスチルカメラの動作説明のための画素データの配列を示す模式図
【図１７】本発明の実施の形態２に係るデジタルスチルカメラの動作説明のための画素データの配列を示す模式図
【図１８】従来のデジタルスチルカメラの構成を示すブロック図
【図１９】従来のデジタルスチルカメラの動作説明のためのフローチャート
【図２０】従来のデジタルスチルカメラの動作説明のためのタイミングチャート
【符号の説明】
２　制御部
３、１３、２３　撮像部
４　第１の記憶部
５　ＹＣ処理部
６　第２の記憶部
７　圧縮変換部
８　符号量測定部
９　スケールファクター設定部
１０　記録部
【図１】
2004088294.tif 000003
【図２】
2004088294.tif 000004
【図３】
2004088294.tif 000005
【図４】
2004088294.tif 000006
【図５】
2004088294.tif 000007
【図６】
2004088294.tif 000008
【図７】
2004088294.tif 000009
【図８】
2004088294.tif 000010
【図９】
2004088294.tif 000011
【図１０】
2004088294.tif 000012
【図１１】
2004088294.tif 000013
【図１２】
2004088294.tif 000014
【図１３】
2004088294.tif 000015
【図１４】
2004088294.tif 000016
【図１５】
2004088294.tif 000017
【図１６】
2004088294.tif 000018
【図１７】
2004088294.tif 000019
【図１８】
2004088294.tif 000020
【図１９】
2004088294.tif 000021
【図２０】
2004088294.tif 000022